(57)【要約】【課題】コンパクトかつデザイン性に優れる供養箱を提供する。【解決手段】納骨部１０および花収容部１１を内部に有する本体ケース２０と、本体ケース２０の前面２に設けられた遺影用パネル１２と、本体ケース２０の前面２に設けられ、花収容部１１を透視可能なカバー部材１３とを含む、供養箱１を提供する。本体ケース２０は、納骨部１０および花収容部１１の下方のスペース１９に設けられ、重要書類２１を寝かせた状態で保管するための書類収容部１８をさらに含んでいてもよい。【選択図】図３
2017136330.tif 000002
【特許請求の範囲】
【請求項１】
納骨部および花収容部を内部に有する本体ケースと、
前記本体ケースの前面に設けられた遺影取り付け部と、
前記本体ケースの前面に、前記花収容部を視認可能にするために形成された開口とを含む、供養箱。
【請求項２】
前記本体ケースの前記開口に設けられ、前記花収容部を透視可能なカバー部材をさらに含む、請求項１に記載の供養箱
【請求項３】
納骨部および花収容部は、前記本体ケースの内部で互いに隣接して配置されている、請求項１または２に記載の供養箱。
【請求項４】
前記遺影取り付け部は、前記本体ケースに対してスライド可能に設けられたスライド部材を含み、スライドによって前記納骨部を開閉する蓋を兼ねている、請求項１〜３のいずれか一項に記載の供養箱。
【請求項５】
前記納骨部および前記花収容部が左右に隣接して配置されており、
前記カバー部材および前記スライド部材は、互いに同じ形状を有している、請求項２に記載の供養箱。
【請求項６】
前記カバー部材および前記スライド部材は、共に四角形状を有している、請求項５に記載の供養箱
【請求項７】
前記花収容部に収容されたプリザーブドフラワーまたは造花を含む、請求項１〜６のいずれか一項に記載の供養箱。
【請求項８】
前記本体ケースは、前記納骨部および前記花収容部を覆っており、ヒンジ機構によって前記納骨部および前記花収容部を開閉する前面パネルを含む、請求項１に記載の供養箱。
【請求項９】
前記本体ケースは、前記納骨部および前記花収容部の下方のスペースに設けられ、書類を寝かせた状態で保管するための書類収容部をさらに含む、請求項１〜８のいずれか一項に記載の供養箱。
【請求項１０】
前記書類収容部は、前記本体ケースに対して引き出し可能な引き出し部を含む、請求項９に記載の供養箱。
【請求項１１】
前記本体ケースの下面に取り外し自在に設けられ、書類を寝かせた状態で保管するための書類収容ケースをさらに含む、請求項１〜８のいずれか一項に記載の供養箱。
【請求項１２】
納骨部、花収容部および書類保管部を有する本体ケースと、
前記本体ケースの前面に設けられた遺影取り付け部と、
前記本体ケースの前面に、前記花収容部を視認可能にするために形成された開口とを含む、供養箱。
【請求項１３】
前記本体ケースの前記開口に設けられ、前記花収容部を透視可能なカバー部材をさらに含む、請求項１２に記載の供養箱。
【請求項１４】
前記書類保管部は、前記本体ケースに対して引き出し可能な引き出し部を含む、請求項１２または１３に記載の供養箱。
【請求項１５】
前記遺影取り付け部は、前記本体ケースに対してスライド可能に設けられたスライド部材を含み、スライドによって前記納骨部を開閉する蓋を兼ねている、請求項１２〜１４のいずれか一項に記載の供養箱。
【請求項１６】
納骨部および花収容部を内部に互いに隣接して有する本体ケースと、
前記本体ケースの前面に設けられた遺影取り付け部と、
前記本体ケースにおける前記納骨部および前記花収容部の下方のスペースに設けられ、書類を寝かせた状態で保管するための書類収容部と、
前記本体ケースの前面に、前記花収容部を視認可能にするために形成された開口とを含む、供養箱。
【請求項１７】
前記本体ケースの前記開口に設けられ、前記花収容部を透視可能なカバー部材をさらに含む、請求項１６に記載の供養箱
【請求項１８】
前記書類収容部は、前記本体ケースの前方に引き出し可能な引き出し部を含む、請求項１６または１７に記載の供養箱。
【発明の詳細な説明】
【技術分野】
【０００１】
本発明は、遺骨および花を一体的に収容でき、仏壇や祭壇（特に後飾り祭壇）の代わりに使用できる供養箱に関する。
【背景技術】
【０００２】
近年、仏壇や祭壇の代わりに使用できるものとして、小型かつ簡易な供養箱がいくつか提案されている。
たとえば、特許文献１の供養箱は、蓋付き箱状体の蓋部の内面に仏画、神画または護符を祀り、繋止具により当該蓋部を支持する箱状体本体の前面額部に遺影を飾っている。また、箱状体本体内部に故人やペットの遺品や遺骨類を収納する収納部を有している。
【０００３】
特許文献２の遺影写真取替え自由納骨箱では、透明プラスチック板とプラスチック板の間に自分で好きなデザインをしたシート状の紙・布・写真などを挟んで、側板が形成されている。底板の角４ヶ所には溝付き支柱を入れる穴が形成され、溝付き支柱が底板の穴に差し込まれ、側板は、溝付き支柱に差し込まれている。そして、上部枠板を溝付き支柱にかぶせて固定することによって箱が形成されている。上部枠板の正面には写真取り出し穴が設けられている。
【先行技術文献】
【特許文献】
【０００４】
【特許文献１】特開２００７−６９３４号公報
【特許文献２】特開２０１３−３９３３３号公報
【発明の概要】
【発明が解決しようとする課題】
【０００５】
しかしながら、現在まで、少なくとも、遺骨を納める部分、花を収容する部分および遺影を取り付ける部分が三位一体となった供養箱は提案されていない。たとえば、特許文献１や２のように単に遺影だけが取り付けられた供養箱では、供養する人が当該供養箱を見るたびに遺影が際立つため、大切な人を失った深い喪失感を癒すことが難しい。
また、近年、宗派色が強い後飾り祭壇等が避けられる傾向にあり、シンプルかつ宗派にとらわれない法要や法要具が好まれる。
【０００６】
本発明の目的は、コンパクトかつデザイン性に優れ、同時に、花を内蔵することによって、供養する人の心を清らかにして悲しみを癒す働きを持つ供養箱を提供することである。
本発明の他の目的は、宗派にとらわれない後飾り祭壇や手元供養用として末永く使うことができる供養箱を提供し、消費者にまったく新しい選択肢を提案することである。
【０００７】
本発明の他の目的は、コンパクトかつデザイン性に優れ、同時に、花を内蔵することによって、供養する人の心を清らかにして悲しみを癒す働きを持ち、さらに、埋葬許可証等の重要書類の紛失を防止できる供養箱を提供することである。
【課題を解決するための手段】
【０００８】
本発明の供養箱は、納骨部および花収容部を内部に有する本体ケースと、前記本体ケースの前面に設けられた遺影取り付け部と、前記本体ケースの前面に、前記花収容部を視認可能にするために形成された開口とを含む（請求項１）。
この構成によれば、少なくとも、納骨部、花収容部および遺影取り付け部が三位一体となって一つの本体ケースにまとめられているので、コンパクトかつデザイン性にも優れる供養箱を提供することができる。したがって、宗派にとらわれない後飾り祭壇や手元供養用として末永く使うことができる。
【０００９】
また、ケース前面の開口を通して視認できる状態で花が収容されるので、供養する人が供養箱を見たときに遺影だけでなく花も目に飛び込むため、供養する人の喪失感を癒すこともできる。つまり、花によって、供養する人の心を清らかにして悲しみを癒すこともできる。
本発明の供養箱は、前記本体ケースの前記開口に設けられ、前記花収容部を透視可能なカバー部材をさらに含んでいてもよい（請求項２）。
【００１０】
この構成によれば、透明なカバー部材が設置されているので、花を視認できる状態を維持しながら、花収容部内の花を保護することができる。たとえば、花収容部へのゴミや埃等の進入を防止することができる。さらに、花を収容した状態で供養箱を運搬する際に花を傷付ける心配が少ないので、配送効率を高めることもできる。
本発明の供養箱では、納骨部および花収容部は、前記本体ケースの内部で互いに隣接して配置されていてもよい（請求項３）。
【００１１】
この構成によれば、納骨部および花収容部を隣接して配置することで本体ケース内のスペースを有効に利用し、よりコンパクトな供養箱とすることができる。
本発明の供養箱では、前記遺影取り付け部は、前記本体ケースに対してスライド可能に設けられたスライド部材を含み、スライドによって前記納骨部を開閉する蓋を兼ねていてもよい（請求項４）。
【００１２】
この構成によれば、遺影取り付け部と納骨部を開閉する蓋とを別々に設けなくて済むので、よりコンパクトな供養箱とすることができる。なお、スライド部材のスライド方向は、本体ケースの上下方向および左右方向のいずれであってもよい。
本発明の供養箱では、前記納骨部および前記花収容部が左右に隣接して配置されており、前記カバー部材および前記スライド部材は、互いに同じ形状を有していてもよい（請求項５）。
【００１３】
この構成によれば、カバー部材およびスライド部材を同じ形状で形成することによって、供養箱のデザイン性を向上させることができる。
本発明の供養箱では、前記カバー部材および前記スライド部材は、共に四角形状を有していてもよい（請求項６）。
本発明の供養箱は、前記花収容部に収容されたプリザーブドフラワーまたは造花を含んでいてもよい（請求項７）。
【００１４】
この構成によれば、花収容部内の花（プリザーブドフラワー、造花）を長期間交換しなくて済むので、供養箱の管理を容易にすることができる。
本発明の供養箱では、前記本体ケースは、前記納骨部および前記花収容部を覆っており、ヒンジ機構によって前記納骨部および前記花収容部を開閉する前面パネルを含んでいてもよい（請求項８）。
【００１５】
この構成によれば、前面パネルを開く一回の動作で、納骨部および花収容部を同時に開けることができる。
本発明の供養箱では、前記本体ケースは、前記納骨部および前記花収容部の下方のスペースに設けられ、書類を寝かせた状態で保管するための書類収容部をさらに含んでいてもよい（請求項９）。
【００１６】
この構成によれば、書類収容部が設けられていることで、埋葬許可証等の重要書類を遺骨と同一のケースに保管できるので、当該書類の紛失を防止することができる。しかも、書類収容部が納骨部および花収容部の下方のスペースを利用して設けられているので、供養箱をコンパクトに維持することもできる。
本発明の供養箱では、前記書類収容部は、前記本体ケースに対して引き出し可能な引き出し部を含んでいてもよい（請求項１０）。
【００１７】
この構成によれば、書類収容部（引き出し部）を引き出すだけで、保管されている書類の種類を簡単に確認することができる。なお、引き出し部の引出し方向は、本体ケースの前方、後方および側方のいずれであってもよい。
本発明の供養箱は、前記本体ケースの下面に取り外し自在に設けられ、書類を寝かせた状態で保管するための書類収容ケースをさらに含んでいてもよい（請求項１１）。
【００１８】
この構成によれば、書類収容ケースが設けられていることで、埋葬許可証等の重要書類を遺骨が納められた本体ケースと一体性を成すケースに保管できるので、当該書類の紛失を防止することができる。
本発明の供養箱は、納骨部、花収容部および書類保管部を有する本体ケースと、前記本体ケースの前面に設けられた遺影取り付け部と、前記本体ケースの前面に、前記花収容部を視認可能にするために形成された開口とを含む（請求項１２）。
【００１９】
この構成によれば、少なくとも、納骨部、花収容部および遺影取り付け部が三位一体となって一つの本体ケースにまとめられているので、コンパクトかつデザイン性にも優れる供養箱を提供することができる。さらに、書類保管部が設けられていることで、埋葬許可証等の重要書類を遺骨と同一のケースに保管できるので、当該書類の紛失を防止することができる。
【００２０】
本発明の供養箱は、前記本体ケースの前記開口に設けられ、前記花収容部を透視可能なカバー部材をさらに含んでいてもよい（請求項１３）。
本発明の供養箱では、前記書類保管部は、前記本体ケースに対して引き出し可能な引き出し部を含んでいてもよい（請求項１４）。
この構成によれば、書類保管部（引き出し部）を引き出すだけで、保管されている書類の種類を簡単に確認することができる。なお、引き出し部の引出し方向は、本体ケースの前方、後方および側方のいずれであってもよい。
【００２１】
本発明の供養箱では、前記遺影取り付け部は、前記本体ケースに対してスライド可能に設けられたスライド部材を含み、スライドによって前記納骨部を開閉する蓋を兼ねていてもよい（請求項１５）。
この構成によれば、遺影取り付け部と納骨部を開閉する蓋とを別々に設けなくて済むので、よりコンパクトな供養箱とすることができる。
【００２２】
本発明の供養箱は、納骨部および花収容部を内部に互いに隣接して有する本体ケースと、前記本体ケースの前面に設けられた遺影取り付け部と、前記本体ケースにおける前記納骨部および前記花収容部の下方のスペースに設けられ、書類を寝かせた状態で保管するための書類収容部と、前記本体ケースの前面に、前記花収容部を視認可能にするために形成された開口とを含む（請求項１６）。
【００２３】
この構成によれば、少なくとも、納骨部、花収容部および遺影取り付け部が三位一体となって一つの本体ケースにまとめられているので、コンパクトかつデザイン性にも優れる供養箱を提供することができる。さらに、書類収容部が設けられていることで、埋葬許可証等の重要書類を遺骨と同一のケースに保管できるので、当該書類の紛失を防止することができる。しかも、書類収容部が納骨部および花収容部の下方のスペースを利用して設けられているので、供養箱をコンパクトに維持することもできる。
【００２４】
本発明の供養箱は、前記本体ケースの前記開口に設けられ、前記花収容部を透視可能なカバー部材をさらに含んでいてもよい（請求項１７）。
本発明の供養箱では、前記書類収容部は、前記本体ケースの前方に引き出し可能な引き出し部を含んでいてもよい（請求項１８）。
この構成によれば、書類収容部（引き出し部）を引き出すだけで、保管されている書類の種類を簡単に確認することができる。
【図面の簡単な説明】
【００２５】
【図１】図１は、本発明の一実施形態に係る供養箱の正面図である。
【図２】図２は、図１の供養箱の納骨部を開いた状態を示す図である。
【図３】図３は、図１の供養箱の書類収容部を引き出した状態を示す図である。
【図４】図４は、図１の供養箱の分解図である。
【図５】図５は、本発明の他の実施形態に係る供養箱の概略図である。
【図６】図６は、本発明の他の実施形態に係る供養箱の概略図である。
【図７】図７は、本発明の他の実施形態に係る供養箱の概略図である。
【図８】図８Ａおよび図８Ｂは、本発明の他の実施形態に係る供養箱の概略図である。
【図９】図９は、本発明の他の実施形態に係る供養箱の概略図である。
【図１０】図１０は、本発明の他の実施形態に係る供養箱の概略図である。
【図１１】図１１は、本発明の他の実施形態に係る供養箱の概略図である。
【図１２】図１２Ａおよび図１２Ｂは、本発明の他の実施形態に係る供養箱の概略図である。
【図１３】図１３は、本発明の他の実施形態に係る供養箱の概略図である。
【図１４】図１４は、本発明の他の実施形態に係る供養箱の概略図である。
【図１５】図１５は、本発明の他の実施形態に係る供養箱の概略図である。
【図１６】図１６は、本発明の他の実施形態に係る供養箱の概略図である。
【図１７】図１７は、本発明の他の実施形態に係る供養箱の概略図である。
【図１８】図１８は、本発明の他の実施形態に係る供養箱の概略図である。
【図１９】図１９は、本発明の他の実施形態に係る供養箱の概略図である。
【発明を実施するための形態】
【００２６】
以下では、本発明の実施の形態を、添付図面を参照して詳細に説明する。
図１は、本発明の一実施形態に係る供養箱１の正面図である。図２は、図１の供養箱１の納骨部１０を開いた状態を示す図である。図３は、図１の供養箱１の書類収容部１８を引き出した状態を示す図である。図４は、図１の供養箱１の分解図である。
供養箱１は、前面２、背面３、上面４、底面５、左側面６および右側面７を有する直方体形状の本体ケース２０を有している。本体ケース２０は、この実施形態では、横長（左右方向に長い）の直方体形状に形成されている。本体ケース２０の寸法は、図３に示すように、たとえば、幅Ｗが１５ｃｍ〜３０ｃｍ程度、高さＨが１３ｃｍ〜２０ｃｍ程度、奥行きＤが６ｃｍ〜１２ｃｍ程度であってもよい。
【００２７】
本体ケース２０の前面２には、左右に隣接した２つの開口８，９が形成されており、この開口８，９の奥にある本体ケース２０の内部に、納骨部１０および花収容部１１が設けられている。納骨部１０および花収容部１１は、それぞれ、本体ケース２０の各面２〜７を形成する壁部（パネル）によって区画された空間であり、この実施形態では、縦長（上下方向に長い）の直方体空間となっている。また、納骨部１０および花収容部１１の開口端は、それぞれ、本発明の遺影取り付け部の一例としての遺影用パネル１２およびカバー部材１３によって覆われている。
【００２８】
納骨部１０および花収容部１１は、この実施形態では、左右に隣接して配置されている。図１〜図３では、左側に納骨部１０が配置され、右側に花収容部１１が配置されているが、これらは左右逆の配置関係になっていてもよい。また、本体ケース２０が縦長の直方体形状に形成されている場合には、納骨部１０および花収容部１１は、互いに上下に隣接して配置されていてもよい（たとえば図１９参照）。
【００２９】
納骨部１０には、遺骨を納めることができる。遺骨は、図２に示すように骨壺１４に入った状態で納められてもよいし、骨袋（図示せず）に入った状態で納められてもよい。また、図２では、骨壺１４は、単に納骨部１０内に載置されているだけであるが、たとえば固定具等によって納骨部１０内に固定されてもよい。
花収容部１１に収容される花１７としては、生花の他、特殊な液で水分を抜いたプリザーブドフラワーや造花であってもよい。図１〜図３では、一例として薔薇のプリザーブドフラワーを収容した状態を示している。花収容部１１内の花１７をプリザーブドフラワーや造花としておけば、花１７を長期間交換しなくて済むので、供養箱１の管理を容易にすることができる。また、スタイリッシュな花を収容しておけば、部屋のインテリアと調和し、供養箱１が持つデザイン性を一層引き立てることができる。
【００３０】
遺影用パネル１２は、たとえばプラスチック板、ガラス板等の板状部材からなり、遺影写真１５を取り付け可能となっている。遺影写真１５は、たとえば、遺影用パネル１２の前面に貼り付けることによって取り付けられてもよい。また、遺影用パネル１２として一対の板を準備すれば、この一対の板の間に挟み込んで取り付けてもよい。そして、この遺影用パネル１２は、本体ケース２０の上面４に形成されたスリット開口１６を介して、本体ケース２０に対して上下方向にスライド可能に設けられており、納骨部１０を開閉する蓋を兼ねている。つまり、供養箱１の使用者は、遺影用パネル１２を上方向に持ち上げてスライドさせることによって納骨部１０を開けることができ、骨壺１４を納めることができる。一方、遺影用パネル１２を下方向にスライドさせることによって、納骨部１０を閉じることができる。そのため、遺影取り付け部（図１〜図３では遺影用パネル１２）と納骨部１０を開閉する蓋とを別々に設けなくて済むので、よりコンパクトな供養箱１とすることができる。また、この実施形態では、図１および図３に示すように、遺影用パネル１２に取り付けられた遺影写真１５によって、通常時（納骨部１０が閉じられているとき）、外部から骨壺１４が見えることを防止することができる。
【００３１】
なお、図示していないが、本体ケース２０には、開口８の周縁に沿って、遺影用パネル１２のスライドをガイドするためのガイド溝が形成されていてもよい。このようなガイド溝は、たとえば遺影用パネル１２を使用せずに遺影写真１５を直接本体ケース２０に取り付ける場合に、その遺影写真１５をガイドするために利用することもできる。つまり、当該ガイド溝を、本発明の遺影取り付け部の一例として採用することもできる。
【００３２】
カバー部材１３は、たとえばプラスチック板、ガラス板等の板状透明部材からなる。カバー部材１３が透明であるので、外部から、花収容部１１内の花１７を視認することができる。また、花を視認できる状態を維持しながら、花収容部１１内の花１７を保護することができる。たとえば、花収容部１１へのゴミや埃等の進入を防止することができる。さらに、花１７を収容した状態で供養箱１を運搬する際に花１７を傷付ける心配が少ないので、配送効率を高めることもできる。このカバー部材１３は、花収容部１１の内部から固定されていてもよいし、遺影用パネル１２と同様に本体ケース２０に対して上下方向にスライド可能に設けられていてもよい。スライド可能に設けておけば、花収容部１１を供養箱１の正面から開けることができるので、花収容部１１内の花１７を交換するときの作業性が良い。
【００３３】
また、この実施形態では、本体ケース２０の前面２の開口８，９が互いに同じ形状（図１〜図３では四角形）・大きさで形成されている。これにより、遺影用パネル１２およびカバー部材１３を同じ形状・大きさで左右に隣接して配置できるので、遺影写真１５および花１７の美的バランスが良くなり、供養箱１のデザイン性を向上させることができる。
また、本体ケース２０は、書類を保管するための書類収容部１８をさらに有している。書類収容部１８は、納骨部１０および花収容部１１の下方のスペース１９に収納された引き出し部として構成されており、本体ケース２０の前方に引き出し可能とされている。使用者は、埋葬許可証等の重要書類２１を寝かせた状態で書類収容部１８に収納し、当該書類収容部１８を本体ケース２０内に収納することによって、重要書類２１を本体ケース２０に保管することができる。これにより、たとえば、遺骨を墓に納めたい場合に必要な埋葬許可証等の重要書類の紛失を防止することができる。しかも、書類収容部１８が納骨部１０および花収容部１１の下方のスペース１９を利用して設けられているので、供養箱１をコンパクトに維持することもできる。さらに、書類収容部１８が引き出しタイプであるため、当該書類収容部１８を引き出すだけで、保管されている書類の種類を簡単に確認することができる。
【００３４】
本体ケース２０は、たとえば、木製の板（たとえば、ＭＤＦ（Medium Density Fiberboard）等の木質繊維を原料とする成型板を含む）、厚紙、アクリル板、合板、段ボール等を組み合わせて作製することができる。
具体的には、図４の分解図で示すように、本体ケース２０は、前面２を構成する前面パネル２２、背面３を構成する背面パネル２３、上面４を構成する上面パネル２４、底面５を構成する底面パネル２５、左側面６を構成する左側面パネル２６および右側面７を構成する右側面パネル２７を有している。前面パネル２２には、開口８，９が左右に隣接して形成されており、その下部には、開口８，９に跨る横長の引き出し用開口２８が形成されている。引き出し用開口２８は、書類収容部１８を本体ケース２０内に収納するための開口である。本体ケース２０は、さらに、納骨部１０と花収容部１１とを左右に仕切る第１仕切りパネル２９、納骨部１０および花収容部１１と、書類収容部１８用のスペース１９とを上下に仕切る第２仕切りパネル３０を有している。
【００３５】
そして、本体ケース２０は、上記のパネル２２〜２７，２９，３０を互いに固定することによって箱状に形成される。本体ケース２０の内部の納骨部１０、花収容部１１およびスペース１９の各空間は、パネル２２〜２７，２９，３０によって区画されることとなる。なお、本体ケース２０は、複数のパネル２２〜２７，２９，３０の組み合わせで構成されている必要はなく、たとえば、射出成形によって形成された一体物の箱型の樹脂で構成されていてもよい。
【００３６】
以上説明した供養箱１によれば、少なくとも、納骨部１０、花収容部１１および遺影用パネル１２が三位一体となって一つの本体ケース２０にまとめられているので、コンパクトかつデザイン性にも優れる供養箱１を提供することができる。また、納骨部１０および花収容部１１を隣接して配置することで本体ケース２０内のスペースを有効に利用し、よりコンパクトな供養箱１とすることができる。したがって、宗派にとらわれない後飾り祭壇や手元供養用として末永く使うことができる。
【００３７】
また、カバー部材１３を通して視認できる状態で花１７が収容されているので、供養する人が供養箱１を見たときに遺影だけでなく花１７も目に飛び込むため、供養する人の喪失感を癒すこともできる。つまり、花１７によって、供養する人の心を清らかにして悲しみを癒す、フラワーセラピーの効果を発揮することもできる。
さらに、複数のパネル２２〜２７，２９，３０を加工することで様々な形状の本体ケース２０を作製することができるので、部屋のインテリアに合わせたデザインにすることによって、インテリアの一部として組み込むこともできる。このようにデザインすることで、前述の花１７による心の癒し効果を一層引き立てることができる。
【００３８】
以上、本発明の一実施形態について説明したが、本発明は、他の形態で実施することもできる。
たとえば、図５の供養箱５１のように、遺影用パネル１２は、本体ケース２０の側面（左側面６）に形成されたスリット開口４０を介して、本体ケース２０に対して左右方向にスライド可能に設けられていてもよい。この場合、カバー部材１３も同様に、本体ケース２０に対して左右方向にスライド可能に設けられていてもよい。
【００３９】
また、図６の供養箱６１のように、書類収容部１８を有していなくてもよい。
また、図７の供養箱７１のように、納骨部１０および花収容部１１が互いに間隔を空けて配置されていてもよい。この場合、納骨部１０と花収容部１１との間に補助収容部３１を設けてもよい。補助収容部３１には、たとえば、故人の思い出の品等を収容することができる。
【００４０】
また、図８Ａおよび図８Ｂの供養箱８１のように、本体ケース２０の前面２に開口８が形成されておらず、その一定の領域が本発明の遺影取り付け部の一例としての平面部３２
として形成されていてもよい。遺影写真１５は、その平面部３２に貼り付けられていてもよい。この場合、納骨部１０の開閉する扉３３が本体ケース２０の背面３に形成されていてもよい。扉３３に隣接するように、花収容部１１を開閉する扉３４が形成されていてもよい。
【００４１】
また、図９Ａおよび図９Ｂの供養箱９１のように、書類収容部１８は、本体ケース２０の背面３から後方に引き出し可能とされていてもよいし、図示しないが、本体ケース２０の左側面６または右側面７から側方に引き出し可能とされていてもよい。
また、図１０の供養箱１０１のように、書類収容部１８は引き出し部である必要はなく、たとえば、前述のスペース１９であってもよい。この場合、スペース１９を開閉する扉３５（たとえば、前倒しで開く扉）が設けられていてもよい。
【００４２】
また、図１１の供養箱１１１のように、書類収容部３６が、納骨部１０および花収容部１１の側方に縦型に設けられていてもよい。この場合、埋葬許可証等の重要書類２１（図示せず）は、寝かせた状態ではなく立てた状態で収納される。むろん、書類収容部３６の開閉形態は、図３の引き出しタイプであってもよいし、図１０の扉タイプであってもよい。
【００４３】
また、図１２Ａおよび図１２Ｂの供養箱１２１のように、書類収容部は、本体ケース２０とは別の書類収容ケース４１として構成されていてもよい。書類収容ケース４１は、図１２Ｂに示すように、上端が開放されており、この上端開口部の段差４２に本体ケース２０の底部を嵌め込むことによって本体ケース２０と一体とされてもよい。むろん、本体ケース２０と書類収容ケース４１との取り付け形態は、この嵌合形態に限らない。
【００４４】
また、重要書類２１は、必ずしも本体ケース２０内に収容されている必要はなく、本体ケース２０に関連付けて保管されていればよい。たとえば、図１３の供養箱１３１のように、本体ケース２０の側面（図１３では右側面７）に本発明の書類保管部の一例としてのクリップ３７が設けられており、重要書類２１がクリップ３７に挟んで保管されていてもよい。また、図１４の供養箱１４１のように、本体ケース２０の背面３に本発明の書類保管部の一例としての弾性バンド４３が設けられており、重要書類２１がクリップ３７に挟んで保管されていてもよい。さらに、図１５の供養箱１５１のように、本体ケース２０の背面３に本発明の書類保管部の一例としてのファイル４４が設けられており、重要書類２１がファイル４４に収容されて保管されていてもよい。
【００４５】
また、図１６Ａおよび図１６Ｂの供養箱１６１のように、本体ケース２０の前面パネル２２は、蝶番４５によって納骨部１０および花収容部１１を一括して開閉する扉であってもよい。この場合、遺影用パネル１２およびカバー部材１３は、前面パネル２２に固定されていてもよい。
また、供養箱の設置方法は、前述のように置くタイプではなく、図１７の供養箱１７１のように吊り下げタイプであってもよい。この場合、本体ケース２０の上面４に、吊り下げ孔３８が形成された吊り下げ部３９が設けられていてもよい。さらに、図示はしないが、ネジ等で壁に固定するタイプであってもよい。
【００４６】
また、図１８の供養箱１８１のように、納骨部１０が本体ケース２０の中央に配置され、この納骨部１０の左右両側それぞれに花収容部１１が配置されていてもよい。
また、図１９の供養箱１９１のように、花収容部１１を覆うカバー部材１３が省略され、花収容部１１と外部との間が開口９を介して流通可能とされていてもよい。この場合でも、本体ケース２０の前面２に開口９が形成されているので、供養箱１９１の正面から花収容部１１内の花１７を視認することができる。カバー部材１３が省略される場合、花１７は、本体ケース２０の前面２よりも前方に迫り出すように収容されていてもよい。こうすることによって、花１７にボリューム感を与えることができるので癒し効果を高めることができる。
【００４７】
また、前述の実施形態では、故人を供養する形態を説明したが、本発明は、むろん、ペット等の動物の供養に使用することもできる。その場合、遺影写真１５としてペット等の動物が写った写真を使用してもよい。
その他、特許の請求の範囲に記載された事項の範囲で種々の設計変更を施すことが可能である。
【産業上の利用可能性】
【００４８】
本発明に係る供養箱は、たとえば、お骨箱として使用でき、さらに、満中陰までの後飾り祭壇や、手元供養（自宅供養）用として有効に利用することができる。
【符号の説明】
【００４９】
１  供養箱
２  前面
３  背面
４  上面
５  底面
６  左側面
７  右側面
８  開口
９  開口
１０  納骨部
１１  花収容部
１２  遺影用パネル
１３  カバー部材
１４  骨壺
１５  遺影写真
１６  スリット開口
１７  花
１８  書類収容部
１９  スペース
２０  本体ケース
２１  重要書類
２２  前面パネル
２３  背面パネル
２４  上面パネル
２５  底面パネル
２６  左側面パネル
２７  右側面パネル
２８  引き出し用開口
２９  第１仕切りパネル
３０  第２仕切りパネル
３１  補助収容部
３２  平面部
３３  扉
３４  扉
３５  扉
３６  書類収容部
３７  クリップ
３８  吊り下げ孔
３９  吊り下げ部
４０  スリット開口
４１  書類収容ケース
４２  段差
４３  弾性バンド
４４  ファイル
４５  蝶番
５１  供養箱
６１  供養箱
７１  供養箱
８１  供養箱
９１  供養箱
１０１  供養箱
１１１  供養箱
１２１  供養箱
１３１  供養箱
１４１  供養箱
１５１  供養箱
１６１  供養箱
１７１  供養箱
１８１  供養箱
１９１  供養箱
【図１】
2017136330.tif 000003
【図２】
2017136330.tif 000004
【図３】
2017136330.tif 000005
【図４】
2017136330.tif 000006
【図５】
2017136330.tif 000007
【図６】
2017136330.tif 000008
【図７】
2017136330.tif 000009
【図８】
2017136330.tif 000010
【図９】
2017136330.tif 000011
【図１０】
2017136330.tif 000012
【図１１】
2017136330.tif 000013
【図１２】
2017136330.tif 000014
【図１３】
2017136330.tif 000015
【図１４】
2017136330.tif 000016
【図１５】
2017136330.tif 000017
【図１６】
2017136330.tif 000018
【図１７】
2017136330.tif 000019
【図１８】
2017136330.tif 000020
【図１９】
2017136330.tif 000021